(57)【要約】【課題】  電子カメラの操作性を向上させる。【解決手段】  カメラ本体１０の上面１０Ｕに電源ボタン１１と操作ボタン１２を設け、背面１０Ｒにカスタマイズユニット４０を設ける。カスタマイズユニット４０の切替スイッチ４１を表示部４１のスイッチ１〜スイッチ６のそれぞれに停止可能に構成する。切替スイッチ４１の停止位置に応じて、操作ボタン１２の操作により実行される機能が選択できるよう構成する。【選択図】        図２
2006191322.tif 000002
【特許請求の範囲】
【請求項１】
画像情報の取得及び取得された画像情報の保守のために搭載された複数の機能を実行する制御手段と、
前記制御手段に前記複数の機能を実行させるための単一の操作部材と、
複数の位置に位置決め可能な手動スイッチユニットと、前記手動スイッチユニットの位置に応じて前記操作部材に割当てられる機能を前記複数の機能の中から選択する割当機能選択手段とを有するカスタマイズ手段とを備えたことを特徴とする電子カメラ。
【請求項２】
前記カスタマイズ手段は、前記手動スイッチユニットの位置と前記割当てられる機能との組合わせを変更する変更手段を有することを特徴とする請求項１に記載の電子カメラ。
【請求項３】
前記操作部材は、押下し量を２段階のレベルで操作可能なボタンであり、
前記変更手段は、前記ボタンの押下し量のレベルと押下しの時間的長さとに基づいて前記組合わせの変更を行うことを特徴とする請求項２に記載の電子カメラ。
【請求項４】
前記ボタンの操作に連動して前記機能割当選択手段による選択状況及び及び前記変更手段による変更状況を表示する表示手段を備えることを特徴とする請求項３に記載の電子カメラ。
【請求項５】
レリーズボタンが、撮影時の各種モードの決定と画像再生時の操作に兼用されることを特徴とする電子カメラ。
【発明の詳細な説明】
【技術分野】
【０００１】
本発明は電子カメラに関し、特に操作部材に関する。
【背景技術】
【０００２】
従来、電子カメラのカメラボディには各種操作部材が配設されている。これらの操作部材にはそれぞれ固有の機能が割当てられている。例えば、カメラボディの上面にはシャッターボタンが設けられ、カメラボディの背面には、撮影時の種々のモード（ストロボ発光の有無、フォーカスモード、ズーム倍率等）を設定するためのボタンが多数設けられている。
【特許文献１】特開平１１−２１８８１７号公報
【発明の開示】
【発明が解決しようとする課題】
【０００３】
ところが、多数のボタンの設置は、実行可能な機能数を増やすことができる反面、カメラ操作に不慣れな使用者には負担を強いることとなる。その結果、多数の機能を搭載していながらそれらの機能が十分活用されない場合もある。また、カメラボディの面積には限界があるため、設計上、ボタン数を無制限に増やすことはできない。
【０００４】
本発明は、以上の問題を解決するものであり、カメラにおける操作部材の操作性の向上を目的とする。
【課題を解決するための手段】
【０００５】
本発明に係る電子カメラは、画像情報の取得及び取得された画像情報の保守のために搭載された複数の機能を実行する制御手段、制御手段に複数の機能を実行させるための単一の操作部材、及び複数の位置に位置決め可能な手動スイッチユニットと手動スイッチユニットの位置に応じて操作部材に割当てられる機能を複数の機能の中から選択する割当機能選択手段とを有するカスタマイズ手段とを備えたことを特徴とする。
【０００６】
好ましくは、カスタマイズ手段は、手動スイッチユニットの位置と割当てられる機能との組合わせを変更する変更手段を有する。
【０００７】
操作部材は、例えば押下し量を２段階のレベルで操作可能なボタンであり、変更手段は、ボタンの押下し量のレベルと押下しの時間的長さとに基づいて上述の組合わせの変更を行う構成としてもよい。
【０００８】
好ましくは、上述の操作部材であるボタンの操作に連動して機能割当選択手段による選択状況及び変更手段による変更状況を表示する表示手段を備える。
【０００９】
また、本発明に係る電子カメラは、レリーズボタンが、撮影時の各種モードの決定と画像再生時の操作に兼用されることを特徴とする。
【発明の効果】
【００１０】
以上のように、本発明によれば、カスタマイズ手段により単一の操作部材で複数の機能を実行することが可能である。従って、複数の機能が搭載された電子カメラにおいて、各機能に対応するそれぞれの操作部材を設ける必要がない。その結果、使用者の熟練度に関係なく常に簡便な操作で各種機能を実行することができるため、電子カメラの操作性が向上する。また、搭載される機能が増加しても、カスタマイズ手段の機能を拡充すれば操作部材を増やす必要がない。
【００１１】
また、カスタマイズ手段において、手動スイッチユニットの位置と割当てられる機能との組合わせを変更可能なよう構成すれば、使用者の好みで手動スイッチユニットと割当て機能との組合わせを構成できるため、より操作性が向上する。
【発明を実施するための最良の形態】
【００１２】
図１は、本発明に係る実施形態が適用される電子カメラの正面図である。電子カメラ１のカメラ本体１０の前面１０Ｆには、撮影光学系が配設されるレンズ鏡筒２０が設けられる。前面１０Ｆの上縁部においてレンズ鏡筒２０の近傍には、ストロボ２１が設けられる。カメラ本体１０の上面１０Ｕには、電源ボタン１１と操作ボタン１２が設けられる。操作ボタン１２は押下し量を２段階（半押し、全押し）のレベルで操作可能である。
【００１３】
図２は電子カメラ１の背面図である。カメラ本体１０の背面１０Ｒにおいて左の領域にＬＣＤ３０が設けられる。ＬＣＤ３０には、例えば、撮影時の被写体の状態や、既に撮影済みの画像データ、後述する各種情報等が表示される。
【００１４】
背面１０Ｒの右の領域にはカスタマイズユニット４０が設けられる。カスタマイズユニット４０は、スライド式の切替スイッチ４１と表示部４２とを有する。切替スイッチ４１は、縦方向に沿って上下方向にスライド可能に支持され、上下方向に並列する６箇所の位置に停止可能である。表示部４２は切替スイッチ４１の近傍に形成される。表示部４２には縦方向に沿って上から順に「スイッチ１」「スイッチ２」「スイッチ３」「スイッチ４」「スイッチ５」「スイッチ６」の文字列が並列されている。各文字列は、切替スイッチ４１の各停止位置にそれぞれ対応する位置に形成されている。
【００１５】
操作ボタン１２を押したとき実行される機能は、切替スイッチ４１の停止位置により決定される。切替スイッチ４１がスイッチ１に位置決めされているとき、操作ボタン１２は常に撮影ボタンとして機能する。後述する静止画モードが設定されている状態で切替スイッチ４１がスイッチ１にセットされると、操作ボタン１２の半押しで測光処理・測距処理が実行され、全押しで撮影処理が実行される。また、後述する動画モードが設定されている状態で切替スイッチ４１がスイッチ１にセットされると、操作ボタン１２の全押しで動画撮影の開始、終了が行える。
【００１６】
切替スイッチ４１がスイッチ２乃至５のいずれかに位置決めされているとき、ストロボモード設定機能、フォーカスモード設定機能、ドライブモード設定機能、画像再生機能、ズームモード設定機能のいずれかの機能が操作ボタン１２に割当てられる。
【００１７】
電子カメラ１は、ストロボモードとして「自動発光」「非発光」「強制発光」の３つのモードを備えている。例えば、操作ボタン１２にストロボモード設定機能を割当てるようスイッチ２がカスタマイズされているとする。この場合、切替スイッチ４１をスイッチ２にセットすれば、操作ボタン１２を適宜押すことにより、上述の３つのモードのいずれかをストロボモードとして設定することができる。
【００１８】
電子カメラ１は、フォーカスモードとして「オートフォーカス」「マクロフォーカス」「スーパーマクロフォーカス」の３つのモードを備えている。例えば、操作ボタン１２にフォーカスモード設定機能を割当てるようスイッチ３がカスタマイズされているとする。この場合、切替スイッチ４１をスイッチ３にセットすれば、操作ボタン１２を適宜押すことにより、上述の３つのモードのいずれかをフォーカスモードとして設定することができる。
【００１９】
電子カメラ１は、ドライブモードとして「オートドライブ」「セルフタイマー」「連続撮影」の３つのモードを備えている。例えば、操作ボタン１２にドライブモード設定機能を割当てるようスイッチ４がカスタマイズされているとする。この場合、切替スイッチ４１をスイッチ４にセットすれば、操作ボタン１２を適宜押すことにより、上述の３つのモードのいずれかをドライブモードとして設定することができる。
【００２０】
また、例えば、操作ボタン１２に画像再生機能を割当てるようスイッチ５がカスタマイズされているとする。この場合、切替スイッチ４１をスイッチ５にセットすれば、操作ボタン１２を適宜押すことにより、記録済みの画像をＬＣＤ３０に順次再生することができる。
【００２１】
電子カメラ１は、３段階のズーミングができるよう構成されている。例えば、操作ボタン１２にズームモード設定機能を割当てるようスイッチ２がカスタマイズされているとする。この場合、切替スイッチ４１をスイッチ２にセットすれば、操作ボタン１２を適宜押すことにより、ズーミングを３段階で切り替えることができる。
【００２２】
切替スイッチ４１がスイッチ６に位置決めされているとき、操作ボタン１２は常に、スイッチ２〜５のカスタマイズボタンとして機能する。切替スイッチ４１がスイッチ６に位置しているとき、操作ボタン１２を適宜操作することにより、切替スイッチ４１がスイッチ２乃至５に位置したときに操作ボタン１２に割当てられる機能を、上述の機能（ストロボモード設定機能、フォーカスモード設定機能、ドライブモード設定機能、画像再生機能、ズーミングモード設定機能）の中から割当てることができる。
【００２３】
図３は、電子カメラ１のブロック図である。ＣＰＵ１００は電子カメラ１を全体的に制御する例えばマイクロコンピュータである。電源スイッチＳＷＭＡＩＮは、電源ボタン１１の操作に応じてオンオフが制御される。操作スイッチＳＷＯは、操作ボタン１２が押されるとオンし、押されていないときオフする。ＣＰＵ１００では、操作スイッチＳＷＯがオンしたとき、そのオンしている時間の長さを計測する。ＣＰＵ１００は、操作ボタン１２が押され続け、操作スイッチＳＷＯがオンしている時間が１秒以上のとき、操作ボタン１２が長押しされていると判断し、１秒に満たないとき、操作ボタン１２は短押しされたと判断する。
【００２４】
第１スイッチＳＷ１乃至第６スイッチＳＷ６は、図２に示す切替スイッチ４１が停止される位置に応じてオンオフが制御される。例えば、切替スイッチ４１がスイッチ１にセットされると、第１スイッチＳＷ１のみがオンとなり、第２スイッチＳＷ２〜第６スイッチＳＷ６はオフされる。
【００２５】
スイッチＳＷＳは、第１スイッチＳＷ１がオンしている状態において、操作ボタン１２が押され操作スイッチＳＷＯがオンし、かつ操作ボタン１２が半押しのときオンする。スイッチＳＷＲは、第１スイッチＳＷ１がオンしている状態において、操作ボタン１２が押され操作スイッチＳＷＯがオンし、かつ操作ボタン１２が全押しのときオンする。操作ボタン１２が押されていない状態では、スイッチＳＷＳ、ＳＷＲはオフとなる。
【００２６】
ＣＰＵ１００にスイッチＳＷＳからのオン信号が入力されると、測光回路１０１及び測距回路１０２へ、それぞれ測光センサ、測距センサ（図示せず）を駆動する指令信号が出力される。測光センサ、測距センサによる検知結果は、それぞれ測光回路１０１、測距回路１０２を介してＣＰＵ１００へ入力される。ＣＰＵ１００にスイッチＳＷＲのオン信号が入力されると、絞り及びシャッタ（図示せず）が駆動され、ＣＣＤ駆動回路１０３へＣＣＤ１０４の駆動を指令する制御信号が出力される。その結果、被写体像が取得される。すなわち、切替スイッチ４１がスイッチ１にセットされ、操作ボタン１２が半押しされると測光処理及び測距処理が実行され、操作ボタン１２が全押しされると撮影処理が行われる。
【００２７】
オートフォーカスが設定されているとき、測距回路１０２からの入力信号に基づいて、ＣＰＵ１００からフォーカス駆動回路１０５へ、レンズ鏡筒２０（図１参照）内の撮影光学系を構成するフォーカシング光学系（図示せず）の駆動を指令する制御信号が出力される。すなわち、オートフォーカスが設定された状態において、切替スイッチ４１がスイッチ１にセットされ、操作ボタン１２が半押しされると、被写体までの距離に応じてフォーカス駆動回路１０５を介して撮影光学系の合焦動作が行われる。自動発光が設定されているとき、測光回路１０１からの入力信号がチェックされ、被写体の光量が不十分であると判断されると、ＣＰＵ１００からストロボ制御回路１０６へ、撮影時にストロボ２１（図１参照）を発光させる指令する制御信号が出力される。２倍ズームモード若しくは３倍ズームモードが選択されているとき、ＣＰＵ１００から光学ズーム制御回路１０７へ、選択された倍率で光学的な変倍動作が行われるよう、撮影光学系を構成するズーミング光学系（図示せず）の駆動を指令する制御信号が出力される。尚、オートフォーカス、自動発光、ズームモードの設定については後述する。
【００２８】
ＤＲＡＭ１０８には、ＣＣＤ１０４から出力される画像信号に対する画像処理の過程において画像データが一時的に格納される。所定の画像処理が施された画像データは、ＬＣＤ３０に表示される。ＥＥＰＲＯＭ１０９には、電子カメラ１を動かすための各種プログラム等が格納される。
【００２９】
図４乃至図１８は、本実施形態における操作ボタン１２及び切替スイッチ４１のカスタマイズの処理手順を示すフローチャートである。電源ボタン１１が押され電源スイッチＳＷＭＡＩＮがオンすると、ステップＳ１００で初期化処理が実行される。初期化処理では、切替スイッチ４１がスイッチ２乃至５にセットされたとき操作ボタン１２に割当てる機能がデフォルトとして設定される。本実施形態では、切替スイッチ４１がスイッチ２にセットされたとき操作ボタン１２にストロボモード設定機能を割当て、スイッチ３にセットされたとき操作ボタン１２にフォーカスモード設定機能を割当て、スイッチ４にセットされたとき操作ボタン１２にドライブモード設定機能を割当て、スイッチ５にセットされたとき操作ボタン１２に画像再生機能を割当てるよう、各スイッチが設定される。
【００３０】
次いで、ステップＳ１０２からＳ１１２において、図３の第１スイッチＳＷ１〜第６スイッチＳＷ６のオンオフがチェックされ、切替スイッチ４１がスイッチ１から６のどのスイッチにセットされているかチェックされる。切替スイッチ４１がスイッチ１にセットされていることが確認されたら（ステップＳ１０２でＹＥＳ）、図５のステップＳ２００へ進む。
【００３１】
ステップＳ２００では、一枚静止画撮影モードがデフォルトとしてセットされる。次いで、ステップＳ２０２において、スイッチＳＷＯがオンし、かつスイッチＳＷＯがオンしている時間が１秒以上経過しているか否かがチェックされ、操作ボタン１２が長押しされているか否かがチェックされる。スイッチＳＷＯのオン時間が１秒に達しておらず、操作ボタン１２が短押しされたことが確認されたらステップＳ２０４へ進む。ステップＳ２０４では、スイッチＳＷＳのオン、それに続くスイッチＳＷＲのオンが確認されたときのみＣＣＤ駆動回路１０３へ制御信号が出力され、静止画を一枚撮影する処理が実行される。その後、制御は図４のステップＳ１０２へ戻る。尚、スイッチＳＷＲのオンが確認されない場合は、撮影処理は行われず、図４のステップＳ１０２へ戻る。
【００３２】
一方、ステップＳ２０２において、スイッチＳＷＯのオン時間が１秒以上経過しており、操作ボタン１２が長押しされたことが確認されたら、ステップＳ２０６へ進む。ステップＳ２０６では、動画モードがセットされる。すなわち、切替スイッチ４１がスイッチ１にセットされている状態において、操作ボタン１２が長押しされると、撮影モードの変更が行われる。次いでステップＳ２０８へ進む。
【００３３】
ステップＳ２０８では、撮影モードが動画モードに変更された後も切替スイッチ４１がスイッチ１にセットされているか否かがチェックされる。ステップＳ２０８で切替スイッチ４１がスイッチ１にセットされたままであることが確認されたら、ステップＳ２１０へ進む。ステップＳ２１０では、ステップＳ２０２と同様、操作ボタン１２が長押しされているか否かがチェックされる。ステップＳ２０２において、動画モードがセットされた後、操作ボタン１２が短押しされたことが確認されたら、ステップＳ２１２へ進む。ステップＳ２１２では、ＣＣＤ駆動回路１０３へ制御信号が出力され、動画撮影が実行される。
【００３４】
ステップＳ２１４では、動画撮影中にスイッチＳＷＯの状態がチェックされ、操作ボタン１２が押されたか否かがチェックされる。動画撮影中に操作ボタン１２が押されたことが確認されたら、ステップＳ２１６へ進み、動画撮影は終了される。その後、ステップＳ２０６へ戻り、上述の処理が繰り返される。
【００３５】
一方、ステップＳ２１０において、動画モードがセットされた後に操作ボタン１２が長押しされたことが確認されたら、ステップＳ２００へ戻り、一枚静止画撮影モードがセットされる。
【００３６】
以上のように、切替スイッチ４１がスイッチ１にセットされているとき、操作ボタン１２が長押しされると、撮影モードの変更が実行され、操作ボタン１２が短押しされると、設定された撮影モードに応じた撮影処理が実行される。尚、操作ボタン１２の長押しによる撮影モードの変更状況は、随時ＬＣＤ３０に表示される。
【００３７】
図４のステップＳ１０４で切替スイッチ４１がスイッチ２にセットされていることが確認されたら、図６のステップＳ３００へ進む。ステップＳ３００では、自動発光がデフォルトとしてストロボモードにセットされる。次いで、ステップＳ３０２及びＳ３０４において、切替スイッチ４１がスイッチ２若しくはスイッチ１にセットされているか否かがチェックされる。切替スイッチ４１がスイッチ１にセットされていることが確認されたら（ステップＳ３０２でＮＯ、ステップＳ３０４でＹＥＳ）、図５のステップＳ２００へ進む。これにより、撮影モードに一枚静止画撮影モードがセットされた状態で操作ボタン１２が短押しされると、自動発光モードで撮影処理が実行される。
【００３８】
一方、切替スイッチ４１がスイッチ２にセットされていることが確認されたら（ステップＳ３０２でＹＥＳ）、ステップＳ３０６へ進む。ステップＳ３０６では、スイッチＳＷＯがオンとなっているか否か、すなわち操作ボタン１２が押されたか否かがチェックされる。操作ボタン１２が押されたことが確認されたらステップＳ３０８へ進む。ステップＳ３０８では、非発光がストロボモードにセットされる。ステップＳ３０６で、操作ボタン１２が押されていないことが確認されたらステップＳ３０２へ戻り、上述の処理が繰り返される。これにより、操作ボタン１２を操作せずにスイッチ４１のみ操作することが可能となる。
【００３９】
次いで、ステップＳ３１０及びＳ３１２において、切替スイッチ４１がスイッチ２若しくはスイッチ１にセットされているか否かがチェックされる。切替スイッチ４１がスイッチ１にセットされていることが確認されたら（ステップＳ３１０でＮＯ、ステップＳ３１２でＹＥＳ）、図５のステップＳ２００へ進む。これにより、撮影モードに一枚静止画撮影モードがセットされた状態で操作ボタン１２が短押しされると、ストロボ非発光で撮影処理が実行される。
【００４０】
一方、切替スイッチ４１がスイッチ２にセットされていることが確認されたら（ステップＳ３１０でＹＥＳ）、ステップＳ３１４へ進む。ステップＳ３１４では、スイッチＳＷＯがオンとなっているか否か、すなわち操作ボタン１２が押されたか否かがチェックされる。操作ボタン１２が押されたことが確認されたらステップＳ３１６へ進む。ステップＳ３１６では、強制発光がストロボモードにセットされる。ステップＳ３１４で、操作ボタン１２が押されていないことが確認されたらステップＳ３１０へ戻り、上述の処理が繰り返される。
【００４１】
次いで、ステップＳ３１８及びＳ３２０において、切替スイッチ４１がスイッチ２若しくはスイッチ１にセットされているか否かがチェックされる。切替スイッチ４１がスイッチ１にセットされていることが確認されたら（ステップＳ３１８でＮＯ、ステップＳ３２０でＹＥＳ）、図５のステップＳ２００へ進む。これにより、撮影モードに一枚静止画撮影モードがセットされた状態で操作ボタン１２が短押しされると、ストロボを強制発光させて撮影処理が実行される。
【００４２】
一方、切替スイッチ４１がスイッチ２にセットされていることが確認されたら（ステップＳ３１８でＹＥＳ）、ステップＳ３２２へ進む。ステップＳ３２２では、スイッチＳＷＯがオンとなっているか否か、すなわち操作ボタン１２が押されたか否かがチェックされる。操作ボタン１２が押されたことが確認されたらステップＳ３００へ戻り、上述の処理が繰り返される。ステップＳ３２２で、操作ボタン１２が押されていないことが確認されたらステップＳ３１８へ戻り、ステップＳ３１８以降の処理が繰り返される。
【００４３】
尚、切替スイッチ４１がスイッチ１、スイッチ２以外のスイッチにセットされている場合（ステップＳ３０４、Ｓ３１２、Ｓ３２０でＮＯ）、図４のステップＳ１０６へ戻る。
【００４４】
以上のように、切替スイッチ４１がスイッチ２にセットされているとき、操作ボタン１２が押されると、ストロボモードが自動発光、非発光、強制発光の順にサイクリックに変更される。操作ボタン１２の押下しによるストロボモードの変更状況は、随時ＬＣＤ３０に表示される。
【００４５】
図４のステップＳ１０６で切替スイッチ４１がスイッチ３にセットされていることが確認されたら、図７のステップＳ４００へ進む。ステップＳ４００では、オートフォーカスがデフォルトとしてフォーカシングモードにセットされる。次いで、ステップＳ４０２及びＳ４０４において、切替スイッチ４１がスイッチ３若しくはスイッチ１にセットされているか否かがチェックされる。切替スイッチ４１がスイッチ１にセットされていることが確認されたら（ステップＳ４０２でＮＯ、ステップＳ４０４でＹＥＳ）、図５のステップＳ２００へ進む。これにより、撮影モードに一枚静止画撮影モードがセットされた状態で操作ボタン１２が短押しでかつ半押しされると自動合焦が実行される。
【００４６】
一方、切替スイッチ４１がスイッチ３にセットされていることが確認されたら（ステップＳ４０２でＹＥＳ）、ステップＳ４０６へ進む。ステップＳ４０６では、スイッチＳＷＯがオンとなっているか否か、すなわち操作ボタン１２が押されたか否かがチェックされる。操作ボタン１２が押されたことが確認されたらステップＳ４０８へ進む。ステップＳ４０８では、マクロモードがフォーカシングモードにセットされる。ステップＳ４０６で操作ボタン１２が押されていないことが確認されたらステップＳ４０２へ戻り、上述の処理が繰り返される。
【００４７】
次いで、ステップＳ４１０及びＳ４１２において、切替スイッチ４１がスイッチ３若しくはスイッチ１にセットされているか否かがチェックされる。切替スイッチ４１がスイッチ１にセットされていることが確認されたら（ステップＳ４１０でＮＯ、ステップＳ４１２でＹＥＳ）、図５のステップＳ２００へ進む。これにより、撮影モードに一枚静止画撮影モードがセットされた状態で操作ボタン１２が短押しでかつ半押しされると、マクロフォーカスモードで合焦動作が実行される。
【００４８】
一方、切替スイッチ４１がスイッチ３にセットされていることが確認されたら（ステップＳ４１０でＹＥＳ）、ステップＳ４１４へ進む。ステップＳ４１４では、スイッチＳＷＯがオンとなっているか否か、すなわち操作ボタン１２が押されたか否かがチェックされる。操作ボタン１２が押されたことが確認されたらステップＳ４１６へ進む。ステップＳ４１６では、フォーカシングモードとしてスーパーマクロモードがセットされる。ステップＳ４１４で操作ボタン１２が押されていないことが確認されたらステップＳ４１０へ戻り、上述の処理が繰り返される。
【００４９】
次いで、ステップＳ４１８及びＳ４２０において、切替スイッチ４１がスイッチ３若しくはスイッチ１にセットされているか否かがチェックされる。切替スイッチ４１がスイッチ１にセットされていることが確認されたら（ステップＳ４１８でＮＯ、ステップＳ４２０でＹＥＳ）、図５のステップＳ２００へ進む。これにより、撮影モードに一枚静止画撮影モードがセットされた状態で操作ボタン１２が短押しかつ半押しされると、スーパーマクロモードで合焦動作が実行される。
【００５０】
一方、切替スイッチ４１がスイッチ３にセットされていることが確認されたら（ステップＳ４１８でＹＥＳ）、ステップＳ４２２へ進む。ステップＳ４２２では、スイッチＳＷＯがオンとなっているか否か、すなわち操作ボタン１２が押されたか否かがチェックされる。操作ボタン１２が押されたことが確認されたらステップＳ４００へ戻り、上述の処理が繰り返される。ステップＳ４２２で操作ボタン１２が押されていないことが確認されたらステップＳ４１８へ戻り、ステップＳ４１８以降の処理が繰り返される。
【００５１】
尚、切替スイッチ４１がスイッチ１、スイッチ３以外のスイッチにセットされている場合（ステップＳ４０４、Ｓ４１２、Ｓ４２０でＮＯ）、図４のステップＳ１０８へ戻る。
【００５２】
以上のように、切替スイッチ４１がスイッチ３にセットされているとき、操作ボタン１２が押されると、フォーカシングモードがオートフォーカス、マクロフォーカス、スーパーマクロフォーカスの順にサイクリックに変更される。操作ボタン１２の押下しによるフォーカシングモードの変更状況は、ＬＣＤ３０に随時表示される。
【００５３】
図４のステップＳ１０８で切替スイッチ４１がスイッチ４にセットされていることが確認されたら、図８のステップＳ５００へ進む。ステップＳ５００では、ドライブモードにデフォルトとしてオートドライブがセットされる。次いで、ステップＳ５０２及びＳ５０４において、切替スイッチ４１がスイッチ４若しくはスイッチ１にセットされているか否かがチェックされる。切替スイッチ４１がスイッチ１にセットされていることが確認されたら（ステップＳ５０２でＮＯ、ステップＳ５０４でＹＥＳ）、図５のステップＳ２００へ進む。これにより、撮影モードに一枚静止画撮影モードがセットされた状態で操作ボタン１２が短押しでかつ全押しされると通常の撮影処理が実行される。
【００５４】
一方、切替スイッチ４１がスイッチ４にセットされていることが確認されたら（ステップＳ５０２でＹＥＳ）、ステップＳ５０６へ進む。ステップＳ５０６では、スイッチＳＷＯがオンとなっているか否か、すなわち操作ボタン１２が押されたか否かがチェックされる。操作ボタン１２が押されたことが確認されたらステップＳ５０８へ進む。ステップＳ５０８では、ドライブモードとしてセルフタイマーがセットされる。ステップＳ５０６で操作ボタン１２が押されていないことが確認されたらステップＳ５０２へ戻り、上述の処理が繰り返される。
【００５５】
次いで、ステップＳ５１０及びＳ５１２において、切替スイッチ４１がスイッチ４若しくはスイッチ１にセットされているか否かがチェックされる。切替スイッチ４１がスイッチ１にセットされていることが確認されたら（ステップＳ５１０でＮＯ、ステップＳ５１２でＹＥＳ）、図５のステップＳ２００へ進む。これにより、撮影モードに一枚静止画撮影モードがセットされた状態で操作ボタン１２が短押しでかつ全押しされると、セルフタイマーモードで撮影処理が実行される。すなわち、レリーズスイッチＳＷＲがオンしてから所定時間経過後に、ＣＣＤ１０４による画像情報の取得が行われる。
【００５６】
一方、切替スイッチ４１がスイッチ４にセットされていることが確認されたら（ステップＳ５１０でＹＥＳ）、ステップＳ５１４へ進む。ステップＳ５１４では、スイッチＳＷＯがオンとなっているか否か、すなわち操作ボタン１２が押されたか否かがチェックされる。操作ボタン１２が押されたことが確認されたらステップＳ５１６へ進む。ステップＳ５１６では、ドライブモードとして連続撮影がセットされる。ステップＳ５１４で操作ボタン１２が押されていないことが確認されたらステップＳ５１０へ戻り、上述の処理が繰り返される。
【００５７】
次いで、ステップＳ５１８及びＳ５２０において、切替スイッチ４１がスイッチ４若しくはスイッチ１にセットされているか否かがチェックされる。切替スイッチ４１がスイッチ１にセットされていることが確認されたら（ステップＳ５１８でＮＯ、ステップＳ５２０でＹＥＳ）、図５のステップＳ２００へ進む。これにより、撮影モードに一枚静止画撮影モードがセットされた状態で操作ボタン１２が短押しかつ全押しされると連続撮影が実行される。すなわち、レリーズスイッチＳＷＲがオンしてから所定時間が経過するまで、所定の時間間隔でＣＣＤ１０４による画像情報の取得が繰り返される。
【００５８】
一方、切替スイッチ４１がスイッチ４にセットされていることが確認されたら（ステップＳ５１８でＹＥＳ）、ステップＳ５２２へ進む。ステップＳ５２２では、スイッチＳＷＯがオンとなっているか否か、すなわち操作ボタン１２が押されたか否かがチェックされる。操作ボタン１２が押されたことが確認されたらステップＳ５００へ戻り、上述の処理が繰り返される。ステップＳ５２２で操作ボタン１２が押されていないことが確認されたらステップＳ５１８へ戻り、ステップＳ５１８以降の処理が繰り返される。
【００５９】
尚、切替スイッチ４１がスイッチ１、スイッチ４以外のスイッチにセットされている場合（ステップＳ５０４、Ｓ５１２、Ｓ５２０でＮＯ）、図４のステップＳ１１０へ戻る。
【００６０】
以上のように、切替スイッチ４１がスイッチ４にセットされているとき、操作ボタン１２が押されると、ドライブモードがオートドライブ、セルフタイマー、連続撮影の順にサイクリックに変更される。操作ボタン１２の押下しによるドライブモードの変更状況は、ＬＣＤ３０に随時表示される。
【００６１】
図４のステップＳ１１０において、切替スイッチ４１がスイッチ５にセットされていることが確認されたら、図９のステップＳ６００へ進む。以降の処理では、既に撮影されＤＲＡＭ１０８に格納されている撮影画像をＬＣＤ３０に再生する処理が実行される。ステップＳ６００では、変数ｍに「１」がセットされる。次いでステップＳ６０２において、ＣＰＵ１００の制御によりｍ枚目の撮影画像がＤＲＡＭ１０８から読み出され、ＬＣＤ３０に表示される。
【００６２】
ステップＳ６０４及びＳ６０６において、切替スイッチ４１がスイッチ５若しくはスイッチ１にセットされているか否かがチェックされる。切替スイッチ４１がスイッチ１にセットされていることが確認されたら（ステップＳ６０４でＮＯ、ステップＳ６０６でＹＥＳ）、図５のステップＳ２００へ進む。
【００６３】
切替スイッチ４１がスイッチ５にセットされたままであることが確認されたら（ステップＳ６０４でＹＥＳ）、ステップＳ６０８へ進む。ステップＳ６０８では、スイッチＳＷＯがオンとなっているか否か、すなわち操作ボタン１２が押されたか否かがチェックされる。操作ボタン１２が押されたことが確認されたらステップＳ６１０へ進む。ステップＳ６１０では変数ｍの値が「１」インクリメントされる。ステップＳ６０８で操作ボタン１２が押されていないことが確認されたらステップＳ６０４へ戻り、上述の処理が繰り返される。
【００６４】
次いで、ステップＳ６１２において、変数ｍの値がＤＲＡＭ１０８に格納された撮影画像の枚数と比較される。変数ｍの値が撮影枚数に達していないことが確認されたら、ステップＳ６０２へ戻り、上述の処理が繰り返される。一方、変数ｍの値が撮影枚数を超えていることが確認されたら、ステップＳ６００へ戻る。ステップＳ６００で変数ｍがリセットされ、上述の処理が繰り返される。
【００６５】
以上のように、切替スイッチ４１がスイッチ５にセットされているとき、操作ボタン１２が短押しされると、既に撮影済みの画像がサイクリックにＬＣＤ３０に再生される。尚、切替スイッチ４１がスイッチ１、スイッチ５のいずれにもセットされていないことが確認されたら（ステップＳ６０４でＮＯ、Ｓ６０６でＮＯ）、図４のステップＳ１１２へ戻る。
【００６６】
図４のステップＳ１１２で切替スイッチ４１がスイッチ６にセットされていることが確認されたら、図１０のステップＳ１０００へ進む。ステップＳ１０００では、切替スイッチ４１がスイッチ２にセットされたら操作ボタン１２にストロボモード設定機能が割当てられるよう、カスタマイズされる。
【００６７】
次いで、ステップＳ１００２及びＳ１００４において、切替スイッチ４１がスイッチ６またはスイッチ１にセットされているか否かがチェックされる。切替スイッチ４１がスイッチ１にセットされていることが確認されたら（ステップＳ１００２でＮＯ、ステップＳ１００４でＹＥＳ）、図５のステップＳ２００へ進む。これにより、切替スイッチ４１がスイッチ２にセットされたとき、操作ボタン１２を操作することによりストロボモードを設定することができる。
【００６８】
ステップＳ１００２で切替スイッチ４１がスイッチ６にセットされてままであることが確認されたら、ステップＳ１００６へ進む。ステップＳ１００６では、スイッチＳＷＯがオンし、かつスイッチＳＷＯがオンしている時間が１秒以上経過しているか否かがチェックされ、操作ボタン１２が長押しされているか否かがチェックされる。スイッチＳＷＯのオン時間が１秒に達しておらず、操作ボタン１２が短押しされたことが確認されたら、ステップＳ１００８へ進む。ステップＳ１００８では、切替スイッチ４１がスイッチ２にセットされたとき操作ボタン１２に割当てられる機能がフォーカスモード設定機能となるよう、カスタマイズされる。
【００６９】
次いで、ステップＳ１０１０及びＳ１０１２において、切替スイッチ４１がスイッチ６またはスイッチ１にセットされているか否かがチェックされる。切替スイッチ４１がスイッチ１にセットされていることが確認されたら（ステップＳ１０１０でＮＯ、ステップＳ１０１２でＹＥＳ）、図５のステップＳ２００へ進む。これにより、切替スイッチ４１がスイッチ２にセットされたとき、操作ボタン１２を操作することによりフォーカスモードを設定することができる。
【００７０】
ステップＳ１０１０で切替スイッチ４１がスイッチ６にセットされてままであることが確認されたら、ステップＳ１０１４へ進む。ステップＳ１０１４では、上述と同様に、操作ボタン１２が長押しされているか否かがチェックされる。スイッチＳＷＯのオン時間が１秒に達しておらず、操作ボタン１２が短押しされたことが確認されたら、ステップＳ１０１６へ進む。ステップＳ１０１６では、切替スイッチ４１がスイッチ２にセットされたとき操作ボタン１２に割当てられる機能がドライブモード設定機能となるようカスタマイズされる。
【００７１】
次いで、ステップＳ１０１８及びＳ１０２０において、切替スイッチ４１がスイッチ６またはスイッチ１にセットされているか否かがチェックされる。切替スイッチ４１がスイッチ１にセットされていることが確認されたら（ステップＳ１０１８でＮＯ、ステップＳ１０２０でＹＥＳ）、図５のステップＳ２００へ進む。これにより、切替スイッチ４１がスイッチ２にセットされたとき、操作ボタン１２を操作することによりドライブモードを設定することができる。
【００７２】
ステップＳ１０１８で切替スイッチ４１がスイッチ６にセットされたままであることが確認されたら、図１１のステップＳ１０２２へ進む。ステップＳ１０２２では、上述と同様に、操作ボタン１２が長押しされているか否かがチェックされる。スイッチＳＷＯのオン時間が１秒に達しておらず、操作ボタン１２が短押しされたことが確認されたら、ステップＳ１０２４へ進む。ステップＳ１０２４では、切替スイッチ４１がスイッチ２にセットされたとき操作ボタン１２に割当てられる機能がズームモード設定機能となるようカスタマイズされる。
【００７３】
次いで、ステップＳ１０２６及びＳ１０２８において、切替スイッチ４１がスイッチ６またはスイッチ１にセットされているか否かがチェックされる。切替スイッチ４１がスイッチ１にセットされていることが確認されたら（ステップＳ１０２６でＮＯ、ステップＳ１０２８でＹＥＳ）、図５のステップＳ２００へ進む。これにより、切替スイッチ４１がスイッチ２にセットされたとき、操作ボタン１２を操作することによりズームモードを設定することができる。
【００７４】
ステップＳ１０２６で切替スイッチ４１がスイッチ６にセットされたままであることが確認されたら、ステップＳ１０３０へ進む。ステップＳ１０３０では、上述と同様に、操作ボタン１２が長押しされているか否かがチェックされる。スイッチＳＷＯのオン時間が１秒に達しておらず、操作ボタン１２が短押しされたことが確認されたら、ステップＳ１０３２へ進む。ステップＳ１０３２では、切替スイッチ４１がスイッチ２にセットされたとき操作ボタン１２に割当てられる機能が画像再生機能となるようカスタマイズされる。
【００７５】
次いで、ステップＳ１０３４及びＳ１０３６において、切替スイッチ４１がスイッチ６またはスイッチ１にセットされているか否かがチェックされる。切替スイッチ４１がスイッチ１にセットされていることが確認されたら（ステップＳ１０３４でＮＯ、ステップＳ１０３６でＹＥＳ）、図５のステップＳ２００へ進む。これにより、切替スイッチ４１がスイッチ２にセットされたとき、操作ボタン１２を操作することにより、撮影済みの画像をＬＣＤ３０に表示することができる。
【００７６】
ステップＳ１０３４で切替スイッチ４１がスイッチ６にセットされてままであることが確認されたら、ステップＳ１０３８へ進む。ステップＳ１０３０では、上述のように操作ボタン１２が長押しされているか否かがチェックされる。スイッチＳＷＯのオン時間が１秒に達しておらず、操作ボタン１２が短押しされたことが確認されたら、図１０のステップＳ１０００へ戻り、上述の処理が繰り返される。
【００７７】
以上のように、切替スイッチ４１がスイッチ６にセットされている状態において、操作ボタン１２が短押しされる毎に、切替スイッチ４１がスイッチ２にセットされたとき操作ボタン１２により実行される機能がサイクリックに変更される。この設定機能の割当ての変更状況は、ＬＣＤ３０に随時表示される。
【００７８】
一方、切替スイッチ４１がスイッチ６にセットされている状態において、操作ボタン１２が長押しされると（ステップＳ１００６、Ｓ１０１４、Ｓ１０２２、Ｓ１０３０、Ｓ１０３８でＹＥＳ）、図１２のステップＳ１１００へ進む。図１２及び図１３に示す処理は、切替スイッチ４１がスイッチ３にセットされたとき操作ボタン１２に割当てられる機能の変更処理である。処理の対象となるのがスイッチ３であることを除けば、図１０及び図１１に示す手順と同様の手順で処理が行われる。
【００７９】
すなわち、切替スイッチ４１がスイッチ６にセットされている状態において（ステップＳ１１０２、Ｓ１１１０、Ｓ１１１８、Ｓ１１２６、及びＳ１１３４でＹＥＳ）、操作ボタン１２が短押しされると（ステップＳ１１０６、Ｓ１１１４、Ｓ１１２２、Ｓ１１３０、及びＳ１１３８でＮＯ）、そのたびに切替スイッチ４１がスイッチ３にセットされたとき操作ボタン１２により実行される機能がサイクリックに変更される（ステップＳ１１００、Ｓ１１０８、Ｓ１１１６、Ｓ１１２４、及びＳ１１３２）。この設定機能の割当ての変更状況は、ＬＣＤ３０に随時表示される。
【００８０】
また、切替スイッチ４１がスイッチ６からスイッチ１へセット変更されると（ステップＳ１１０４、Ｓ１１１２、Ｓ１１２０、Ｓ１１２８、及びＳ１１３６でＹＥＳ）、図５のステップＳ２００へ進む。
【００８１】
一方、切替スイッチ４１がスイッチ６にセットされている状態において、操作ボタン１２が長押しされると（ステップＳ１１０６、Ｓ１１１４、Ｓ１１２２、Ｓ１１３０、Ｓ１１３８でＹＥＳ）、制御は図１４のステップＳ１２００へ進む。図１４及び図１５に示す処理は、切替スイッチ４１がスイッチ４にセットされたとき操作ボタン１２に割当てられる機能の変更処理である。処理の対象となるのがスイッチ４であることを除けば、上述のスイッチ２及びスイッチ３に対する処理と同様の手順で処理が行われる。
【００８２】
すなわち、切替スイッチ４１がスイッチ６にセットされている状態において（ステップＳ１２０２、Ｓ１２１０、Ｓ１２１８、Ｓ１２２６、及びＳ１２３４でＹＥＳ）、操作ボタン１２が短押しされると（ステップＳ１２０６、Ｓ１２１４、Ｓ１２２２、Ｓ１２３０、及びＳ１２３８でＮＯ）、そのたびに切替スイッチ４１がスイッチ４にセットされたとき操作ボタン１２により実行される機能がサイクリックに変更される（ステップＳ１２００、Ｓ１２０８、Ｓ１２１６、Ｓ１２２４、及びＳ１２３２）。この設定機能の割当ての変更状況は、ＬＣＤ３０に随時表示される。
【００８３】
また、切替スイッチ４１がスイッチ６からスイッチ１へセット変更されると（ステップＳ１２０４、Ｓ１２１２、Ｓ１２２０、Ｓ１２２８、及びＳ１２３６でＹＥＳ）、図５のステップＳ２００へ進む。
【００８４】
一方、切替スイッチ４１がスイッチ６にセットされている状態において、操作ボタン１２が長押しされると（ステップＳ１２０６、Ｓ１２１４、Ｓ１２２２、Ｓ１２３０、Ｓ１２３８でＹＥＳ）、制御は図１６のステップＳ１３００へ進む。図１６及び図１７に示す処理は、切替スイッチ４１がスイッチ５にセットされたとき操作ボタン１２に割当てられる機能の変更処理である。処理の対象となるのがスイッチ５であることを除けば、上述のスイッチ２乃至４に対する処理と同様の手順で処理が行われる。
【００８５】
すなわち、切替スイッチ４１がスイッチ６にセットされている状態において（ステップＳ１３０２、Ｓ１３１０、Ｓ１３１８、Ｓ１３２６、及びＳ１３３４でＹＥＳ）、操作ボタン１２が短押しされると（ステップＳ１３０６、Ｓ１３１４、Ｓ１３２２、Ｓ１３３０、及びＳ１３３８でＮＯ）、そのたびに切替スイッチ４１がスイッチ５にセットされたとき操作ボタン１２により実行される機能がサイクリックに変更される（ステップＳ１３００、Ｓ１３０８、Ｓ１３１６、Ｓ１３２４、及びＳ１３３２）。この設定機能の割当ての変更状況は、ＬＣＤ３０に随時表示される。
【００８６】
また、切替スイッチ４１がスイッチ６からスイッチ１へセット変更されると（ステップＳ１３０４、Ｓ１３１２、Ｓ１３２０、Ｓ１３２８、及びＳ１３３６でＹＥＳ）、図５のステップＳ２００へ進む。
【００８７】
一方、切替スイッチ４１がスイッチ６にセットされている状態において、操作ボタン１２が長押しされると（ステップＳ１３０６、Ｓ１３１４、Ｓ１３２２、Ｓ１３３０、Ｓ１３３８でＹＥＳ）、制御は図１０のステップＳ１０００へ戻る。そして、上述の処理が繰り返される。
【００８８】
以上のように、切替スイッチ４１がスイッチ６にセットされている状態で操作ボタン１２が長押しされると、設定機能変更の対象となるスイッチがスイッチ２、スイッチ３、スイッチ４、スイッチ５の順にサイクリックに変更される。また、切替スイッチ４１がスイッチ６にセットされている状態で操作ボタン１２が短押しされると、設定機能変更の対象となっているスイッチに切替スイッチ４１がセットされたとき操作ボタン１２に割当てられる機能がサイクリックに変更される。
【００８９】
上述のように、本実施形態では、図４のステップＳ１００の初期化処理で、スイッチ２は操作ボタン１２にストロボモード設定機能を割当て、スイッチ３は操作ボタン１２にフォーカスモード設定機能を割当て、スイッチ４は操作ボタン１２にドライブモード設定機能を割当て、スイッチ５は操作ボタン１２に画像再生機能を割当てるよう、設定されている。切替スイッチ４１をスイッチ６にセットし（ステップＳ１１２でＹＥＳ）、操作ボタン１２を長押しし、例えばスイッチ３を設定機能変更の対象として選択し（ステップＳ１００６、Ｓ１０１４、Ｓ１０２２のいずれかでＹＥＳ）、スイッチ３にズーミングモード設定機能を設定することができる（ステップＳ１１１６）。
【００９０】
図１８は、カスタマイズによりズーミングモード設定機能が割当てられたスイッチが選択されたときの処理手順を示すフローチャートである。このフローチャート中、スイッチｎは、スイッチ２〜５のうちカスタマイズによりズーミングモード設定機能が割当てられたスイッチを示す。図４に示すフローチャートにおいて、切替スイッチ４１がスイッチｎにセットされていることが確認されたら、図１８のステップＳ７００へ進む。ステップＳ７００では、ズーム１段目（通常倍率）がデフォルトとしてセットされる。次いで、ステップＳ７０２及びＳ７０４において、切替スイッチ４１がスイッチｎ若しくはスイッチ１にセットされているか否かがチェックされる。切替スイッチ４１がスイッチ１にセットされていることが確認されたら（ステップＳ７０２でＮＯ、ステップＳ７０４でＹＥＳ）、図５のステップＳ２００へ進む。これにより、撮影モードに一枚静止画撮影モードがセットされた状態で操作ボタン１２が短押しでかつ全押しされると、通常倍率の撮影画像が得られる。
【００９１】
一方、切替スイッチ４１がスイッチｎにセットされていることが確認されたら（ステップＳ７０２でＹＥＳ）、ステップＳ７０６へ進む。ステップＳ７０６では、スイッチＳＷＯがオンとなっているか否か、すなわち操作ボタン１２が押されたか否かがチェックされる。操作ボタン１２が押されたことが確認されたらステップＳ７０８へ進む。ステップＳ７０８では、ズーム２段目（２倍の拡大率）がセットされる。ステップＳ７０６で操作ボタン１２が押されていないことが確認されたらステップＳ７０２へ戻り、上述の処理が繰り返される。
【００９２】
次いで、ステップＳ７１０及びＳ７１２において、切替スイッチ４１がスイッチｎ若しくはスイッチ１にセットされているか否かがチェックされる。切替スイッチ４１がスイッチ１にセットされていることが確認されたら（ステップＳ７１０でＮＯ、ステップＳ７１２でＹＥＳ）、図５のステップＳ２００へ進む。これにより、撮影モードに一枚静止画撮影モードがセットされた状態で操作ボタン１２が短押しでかつ全押しされると、２倍ズームの撮影画像が得られる。
【００９３】
一方、切替スイッチ４１がスイッチｎにセットされていることが確認されたら（ステップＳ７１０でＹＥＳ）、ステップＳ７１４へ進む。ステップＳ７１４では、スイッチＳＷＯがオンとなっているか否か、すなわち操作ボタン１２が押されたか否かがチェックされる。操作ボタン１２が押されたことが確認されたらステップＳ７１６へ進む。ステップＳ７１６では、ズーム３段目（３倍の拡大率）がセットされる。ステップＳ７１４で操作ボタン１２が押されていないことが確認されたらステップＳ７１０へ戻り、上述の処理が繰り返される。
【００９４】
次いで、ステップＳ７１８及びＳ７２０において、切替スイッチ４１がスイッチｎ若しくはスイッチ１にセットされているか否かがチェックされる。切替スイッチ４１がスイッチ１にセットされていることが確認されたら（ステップＳ７１８でＮＯ、ステップＳ７２０でＹＥＳ）、図５のステップＳ２００へ進む。これにより、撮影モードに一枚静止画撮影モードがセットされた状態で操作ボタン１２が短押しかつ全押しされると、３倍ズームの撮影画像が得られる。
【００９５】
一方、切替スイッチ４１がスイッチｎにセットされていることが確認されたら（ステップＳ７１８でＹＥＳ）、ステップＳ７２２へ進む。ステップＳ７２２では、スイッチＳＷＯがオンとなっているか否か、すなわち操作ボタン１２が押されたか否かがチェックされる。操作ボタン１２が押されたことが確認されたらステップＳ７００へ戻り、上述の処理が繰り返される。ステップＳ７２２で操作ボタン１２が押されていないことが確認されたらステップＳ７１８へ戻り、ステップＳ７１８以降の処理が繰り返される。
【００９６】
尚、切替スイッチ４１がスイッチ１、スイッチｎ以外のスイッチにセットされている場合（ステップＳ７０４、Ｓ７１２、Ｓ７２０でＮＯ）、図４のルーチンへ戻る。
【００９７】
以上のように、切替スイッチ４１がズームモードの割当て機能が設定されたスイッチにセットされ、操作ボタン１２が押されると、ズームモードが１段目、２段目、３段目の順にサイクリックに変更される。操作ボタン１２の押下しによるズームモードの変更状況は、ＬＣＤ３０に随時表示される。
【００９８】
尚、図４では、ステップＳ１００の初期化処理に基づいて、切替スイッチ４１が各スイッチにセットされたときに実行されるルーチンが定められている。しかし、スイッチ２〜スイッチ５については、上述のように、図１０〜図１７を用いて説明したカスタマイズが可能である。従って、初期化処理後に切替スイッチ４１がスイッチ６にセットされ、上述のカスタマイズが行われた後は、切替スイッチ４１が各スイッチにセットされたとき実行されるルーチンはカスタマイズに従って変更される。すなわち、図４の各ステップでＹＥＳとなったときジャンプするルーチンはカスタマイズに従って変更されることとなる。また、図６〜図９の各ルーチンで切替スイッチがセットされていることが確認されるスイッチは、カスタマイズ後の状態に応じて変更される。
【００９９】
例えば、初期化処理直後に切替スイッチ４１がスイッチ５にセットされると、操作ボタン１２の操作に応じて画像再生のルーチン（図９）が行われる。そして、例えばステップＳ１３１６の処理が実行された後は、切替スイッチ４１がスイッチ５にセットされると、操作ボタン１２の操作に応じてストロボモード設定のルーチン（図６）が実行される。この状態において、図６のルーチンのステップＳ３０２、Ｓ３１０、Ｓ３１８では、切替スイッチ４１がスイッチ５にセットされているか否かがチェックされることとなる。
【０１００】
以上のように本実施形態によれば、切替ボタン４１を操作することにより操作ボタン１２の機能をカスタマイズできる。すなわち、切替ボタン４１と操作ボタン１２のみで、電子カメラ１に搭載された複数の機能を実行することができる。従って、カメラ操作に不慣れな使用者であっても多数の操作ボタンを使いこなす必要がなく、容易に各機能を実行することができる。
【０１０１】
また、切替スイッチ４１をスイッチ６にセットすると、スイッチ２〜５にセットしたとき操作ボタン１２により実行される機能を変更することができる。従って、使用者の好みでスイッチ２〜５で実現される機能をカスタマイズすることができ、電子カメラ１の操作性がより一層向上する。
【０１０２】
尚、本実施形態では、切替スイッチ４１としてスライド式のスイッチを採用しているが、これに限るものではない。図１９は、カスタマイズユニットの変形例を示す図である。カスタマイズユニット５０の切替スイッチ５１はダイヤル式スイッチである。切替スイッチ５１を回転させ、表面に形成された数字を指示標識５２に合わせることにより、操作ボタン１２に割当てる機能の変更等を行うことができる。
【０１０３】
また、本実施形態では、切替スイッチ４１がスイッチ２〜５のいずれかにセットされたとき操作ボタン１２に割当て可能な機能は、ストロボモード設定機能、フォーカスモード設定機能、ドライブモード設定機能、画像再生機能、ズーミングモード設定機能となっているがこれに限るものではない。
【図面の簡単な説明】
【０１０４】
【図１】本発明に係る実施形態が適用される電子カメラの外観を概略的に示す正面図である。
【図２】電子カメラの背面を概略的に示す図である。
【図３】電子カメラのブロック図である。
【図４】操作ボタン及び切替スイッチのカスタマイズの初期部分の処理手順を示すフローチャートである。
【図５】撮影モードの設定の処理手順を示すフローチャートである。
【図６】ストロボモードの設定の処理手順を示すフローチャートである。
【図７】フォーカスモードの設定の処理手順を示すフローチャートである。
【図８】ドライブモードの設定の処理手順を示すフローチャートである。
【図９】画像再生の処理手順を示すフローチャートである。
【図１０】切替スイッチをスイッチ２にセットしたとき実行される機能を変更する処理手順の前半を示すフローチャートである。
【図１１】切替スイッチをスイッチ２にセットしたとき実行される機能を変更する処理手順の後半を示すフローチャートである。
【図１２】切替スイッチをスイッチ３にセットしたとき実行される機能を変更する処理手順の前半を示すフローチャートである。
【図１３】切替スイッチをスイッチ３にセットしたとき実行される機能を変更する処理手順の後半を示すフローチャートである。
【図１４】切替スイッチをスイッチ４にセットしたとき実行される機能を変更する処理手順の前半を示すフローチャートである。
【図１５】切替スイッチをスイッチ４にセットしたとき実行される機能を変更する処理手順の後半を示すフローチャートである。
【図１６】切替スイッチをスイッチ５にセットしたとき実行される機能を変更する処理手順の前半を示すフローチャートである。
【図１７】切替スイッチをスイッチ５にセットしたとき実行される機能を変更する処理手順の後半を示すフローチャートである。
【図１８】ズーミングモードの設定の処理手順を示すフローチャートである。
【図１９】カスタマイズユニットの変形例を示す図である。
【符号の説明】
【０１０５】
１  電子カメラ
１０  カメラ本体
１１  電源ボタン
１２  操作ボタン
２０  レンズ鏡筒
３０  ＬＣＤ
４０  カスタマイズユニット
４１  切替スイッチ
４２  表示部
【図１】
2006191322.tif 000003
【図２】
2006191322.tif 000004
【図３】
2006191322.tif 000005
【図４】
2006191322.tif 000006
【図５】
2006191322.tif 000007
【図６】
2006191322.tif 000008
【図７】
2006191322.tif 000009
【図８】
2006191322.tif 000010
【図９】
2006191322.tif 000011
【図１０】
2006191322.tif 000012
【図１１】
2006191322.tif 000013
【図１２】
2006191322.tif 000014
【図１３】
2006191322.tif 000015
【図１４】
2006191322.tif 000016
【図１５】
2006191322.tif 000017
【図１６】
2006191322.tif 000018
【図１７】
2006191322.tif 000019
【図１８】
2006191322.tif 000020
【図１９】
2006191322.tif 000021